(57)【要約】【課題】少ない水量で所定の洗浄性能を維持する。【解決手段】洗浄槽内に設けられるとともに洗浄水を被洗浄物６に噴射する前記洗浄手段１３と、前記洗浄槽の内底面に設けられた前記貯水部９と、前記貯水部の水を加圧して前記洗浄手段へ供給する前記洗浄ポンプ１２と、洗浄水を加熱する加熱手段を配設した加熱部８とを備え、前記洗浄槽の内底面は、前記加熱部から前記貯水部へ向かって下方に傾斜させた第１の傾斜部２９と、前記洗浄手段から吐出した洗浄水を貯水部へ流す第２の傾斜部３０で構成することで、貯水部内で略反対の回転方向の水流を衝突させ、渦の発生を抑制し、安定的に洗浄性能を得る食器洗い機を提供できる。【選択図】図３
2011143086.tif 000002
【特許請求の範囲】
【請求項１】
内部に洗浄槽を有する本体と、前記洗浄槽内に設けられるとともに洗浄水を被洗浄物に噴射する洗浄手段と、前記洗浄槽の内底面に設けられた貯水部と、前記貯水部の水を加圧して洗浄手段へ供給する洗浄ポンプと、前記貯水部へ循環させる洗浄水を加熱する加熱手段を配設した加熱部とを備え、前記洗浄槽の内底面は、前記加熱部から前記貯水部へ向かって下方に傾斜させた第１の傾斜部と、前記洗浄手段から噴出した洗浄水を前記貯水部へ流す第２の傾斜部で構成し、前記洗浄ポンプが駆動している場合、前記第１の傾斜部から前記貯水部内に流れる洗浄水は、前記第２の傾斜部からの洗浄水と略反対の回転方向の水流を前記貯水部内に発生させるように構成した食器洗い機。
【請求項２】
前記洗浄手段は、前記洗浄槽の底面中央部を中心に回転するとともに、前記第２の傾斜部は、前記洗浄手段の略回転軌跡内に形成し、前記第２の傾斜部の周縁部外側に前記第２の傾斜部に向かって下方に傾斜する第３の傾斜部を設けた請求項１に記載の食器洗い機。
【請求項３】
前記第３の傾斜部は、前記第２の傾斜部の傾斜より大きい傾斜角度で形成した請求項２に記載の食器洗い機。
【請求項４】
前記第２の傾斜部は、前記貯水部との接点近傍を最下点とする、円錐面状の傾斜面で形成した請求項１〜３のいずれか１項に記載の食器洗い機。
【請求項５】
前記第２の傾斜部は、前記第１の傾斜部より高い位置に形成した請求項１〜４のいずれか１項に記載の食器洗い機。
【請求項６】
前記第１の傾斜部の前記貯水部近傍に前記洗浄槽の内側に傾斜する第４の傾斜部を設けた請求項１〜５のいずれか１項に記載の食器洗い機。
【請求項７】
前記第１の傾斜部は、第１のリブを、前記第２の傾斜部には前記第２のリブをそれぞれ有し、前記第１のリブで整流した洗浄水の水流方向は、前記第２のリブで整流した洗浄水の水流と略反対方向となるように構成とした請求項１〜６のいずれか１項に記載の食器洗い機。
【請求項８】
前記第２の傾斜部は、貯水部方向に５度以上８度以下の傾斜をもつ請求項１〜７のいずれか１項に記載の食器洗い機。
【請求項９】
前記貯水部は、下方に傾斜する第５の傾斜部を内底部に形成する構成とした請求項１〜８のいずれか１項に記載の食器洗い機。
【発明の詳細な説明】
【技術分野】
【０００１】
本発明は、食器の洗浄を行う食器洗い機に関するものである。
【背景技術】
【０００２】
従来、食器の洗浄を行う食器洗い機の洗浄槽は、図２０に示すように、洗浄槽内の底面コーナー部付近に貯水部１０１および貯水部１０１に隣接して貯水部１０１方向に傾斜させた第１の傾斜部１０２を有している。また、第１の傾斜部１０２に隣接して第２の傾斜部１０３を設け、第２の傾斜部１０３は第１の傾斜部１０２に向け傾斜している。傾斜方向（水流の方向）は矢印で表してある。洗浄水を加熱するヒータを有する加熱部１０４は第１の傾斜部１０２上部に設けている。
【０００３】
貯水部１０１に貯水した洗浄水は、洗浄ポンプにより加圧され、洗浄ノズル１０５から噴射される。噴射された洗浄水の内、第２の傾斜部１０３に落下した洗浄水の大半は、一旦加熱部に貯水した後に第１の傾斜部１０２を介して貯水部１０１に流れ込む。また、第２の傾斜部１０３に落下した残りの洗浄水は直接貯水部１０１に流れ込む。そしてそれぞれ流れ込んだ洗浄水は貯水部から、洗浄ポンプに移動し、加圧されて再び洗浄ノズル１０５から噴射される（例えば特許文献１）。
【先行技術文献】
【特許文献】
【０００４】
【特許文献１】特許第３７３２２０１号公報
【発明の概要】
【発明が解決しようとする課題】
【０００５】
しかしながら、上記特許文献１の食器洗い機は、図２１の矢印に示すように、洗浄ノズル１０５から噴出した洗浄水が集まる貯水部１０１は、流量差のある水流が異なる方向から流れ込んでくるために、図２２のように渦１０１ａが発生しやすい構成となっていた。渦１０１ａの発生により洗浄ポンプは洗浄水とともに空気を吸い込んでしまうと、所定の加圧性能が得られなくなる。そのため、従来は必要以上の洗浄水を給水することで渦１０１ａの発生を抑え、所定の洗浄性能を確保していたので使用水量が多くなるという課題があった。
【０００６】
本発明は、上記従来の課題を解決するもので、貯水部内での渦の発生を抑制し、所定の洗浄性能を得る食器洗い機を提供することを目的としている。
【課題を解決するための手段】
【０００７】
内部に洗浄槽を有する本体と、前記洗浄槽内に設けられるとともに洗浄水を被洗浄物に噴射する洗浄手段と、前記洗浄槽の内底面に設けられた貯水部と、前記貯水部の水を加圧して洗浄手段へ供給する洗浄ポンプと、前記貯水部へ循環させる洗浄水を加熱する加熱手段を配設した加熱部と、を備え、前記洗浄槽の内底面は、前記加熱部から前記貯水部へ向かって下方に傾斜させた第１の傾斜部と、前記洗浄手段から吐出した洗浄水を貯水部へ流す第２の傾斜部で構成し、第１の傾斜部から前記貯水部内に流れる洗浄水は、前記第２の傾斜部からの洗浄水と略反対の回転方向の水流を前記貯水部内に発生させるように構成したものである。
【０００８】
この構成により、第２の傾斜部から直接貯水部に流れる水量が多くなり、第１の傾斜部から貯水部に流れる洗浄水との流量差を低減した状態で略反対の回転方向の水流を衝突さ
せるため、渦の発生を抑制することができる。よって、従来必要であった渦防止用の洗浄水量を削減できる。
【発明の効果】
【０００９】
本発明の食器洗い機は、洗浄槽の底面を流れる洗浄水を衝突させ洗浄槽内の貯水部での渦の発生を抑制し、より少ない水量で所定の洗浄性能を得る食器洗い機を提供できる。
【図面の簡単な説明】
【００１０】
【図１】本発明の実施の形態１の食器洗い機の側面図
【図２】同食器洗い機の断面図
【図３】同食器洗い機の洗浄槽の傾斜方向を表す平面図
【図４】同食器洗い機の洗浄槽のＸ−Ｘ´断面図
【図５】同食器洗い機の洗浄槽のＹ−Ｙ´断面図
【図６】同食器洗い機の洗浄槽のＵ−Ｕ´断面図
【図７】同食器洗い機の洗浄槽の流れ方向を表す平面図
【図８】同食器洗い機の貯水部近傍の洗浄水の流れの方向を表す平面図
【図９】同食器洗い機の別の形態の平面図
【図１０】同食器洗い機の別の形態の貯水部近傍の平面図
【図１１】同食器洗い機の別の形態の貯水部近傍の平面図
【図１２】同食器洗い機の別の形態の貯水部近傍の平面図
【図１３】同食器洗い機の別の形態の洗浄水の流れの方向を表す平面図
【図１４】同食器洗い機の別の形態のＹ−Ｙ´断面図
【図１５】同食器洗い機の別の形態の洗浄水の流れの方向を表すＹ−Ｙ´断面図
【図１６】同食器洗い機の別の形態の平面図
【図１７】同食器洗い機の別の形態のＸ−Ｘ´断面図
【図１８】同食器洗い機の別の形態の洗浄水の流れの方向を表す貯水部近傍の断面図
【図１９】本発明の実施の形態２の食器洗い機の平面図
【図２０】従来の食器洗い機の傾斜の方向を表す平面図
【図２１】従来の食器洗い機の洗浄水の流れの方向を表す平面図
【図２２】従来の食器洗い機の貯水部近傍の断面図
【発明を実施するための形態】
【００１１】
第１の発明は、内部に洗浄槽を有する本体と、前記洗浄槽内に設けられるとともに洗浄水を被洗浄物に噴射する洗浄手段と、前記洗浄槽の内底面に設けられた貯水部と、前記貯水部の水を加圧して洗浄手段へ供給する洗浄ポンプと、前記貯水部へ循環させる洗浄水を加熱する加熱手段を配設した加熱部とを備え、前記洗浄槽の内底面は、前記加熱部から前記貯水部へ向かって下方に傾斜させた第１の傾斜部と、前記洗浄手段から噴出した洗浄水を前記貯水部へ向かって流す第２の傾斜部で構成し、前記第１の傾斜部から前記貯水部内に流れる洗浄水は、前記第２の傾斜部からの洗浄水と略反対の回転方向の水流を前記貯水部内に発生させる構成としたものである。
【００１２】
この構成により、第２の傾斜部から直接貯水部に流れる水量は多くなり、第１の傾斜部から貯水部に流れる洗浄水との流量差を低減した状態で略反対の回転方向の水流を衝突させるため、渦の発生を抑制することができる。よって、従来必要であった渦防止用の洗浄水量の削減によって、より少ない水量で所定の洗浄性能を得ることができる。
【００１３】
第２の発明は、第１の発明において、洗浄手段は前記洗浄槽の底面中央部を中心に回転するとともに、前記第２の傾斜部は前記洗浄手段の略回転軌跡内に形成し、第２の傾斜部の周縁部外側に第２の傾斜部に向かって下方に傾斜する第３の傾斜部を設けたことにより、洗浄槽側面に衝突した洗浄水はより早い時間で貯水部に回収されるため、より少ない洗
浄水量で所定の洗浄性能を得ることができる。
【００１４】
第３の発明は、第２の発明において、第３の傾斜部の傾斜を第２の傾斜部のそれより大きい傾斜角度で形成することにより、洗浄ノズルの回転軌跡外に飛散した洗浄水の貯水部への戻りをより早くすることができる。また、洗浄槽内部の洗浄水が貯水される容積を削減することで、同量の洗浄水を入れた場合の洗浄水位を高くすることができる。このため、より少ない水量での洗浄ポンプの運転が可能となり、使用水量の削減ができる。
【００１５】
第４の発明は、第１〜第３の発明において、第２の傾斜部は、前記貯水部との接点近傍を最下点とする、円錐面状の傾斜面で形成したことにより、第２の傾斜部に落下した洗浄水は、加熱部に流れ込みにくくなるとともに、円錐面状の傾斜面に沿ってより素早く貯水部方向に流れる。このため、洗浄手段より噴出した洗浄水の洗浄ポンプへの回収速度が上昇し、より少ない水量での洗浄ポンプの運転が可能となり、使用水量の削減ができる。
【００１６】
第５の発明は、第１〜第４の発明において、第２の傾斜部は第１の傾斜部より高い位置に形成されることにより、少ない洗浄水量でも確実に加熱手段を水没させることができるため、洗浄水の加熱効率を向上させることができる。
【００１７】
第６の発明は、第１〜第５の発明において、第１の傾斜部の前記貯水部近傍に前記洗浄槽の内側に傾斜する第４の傾斜部を設けたことにより、第１の傾斜部から貯水部に流れる水流の方向が第４の傾斜部によって整流されて第２の傾斜部から貯水部に流れる水流と衝突するため、渦の発生がより抑制され、少ない洗浄水量で所定の洗浄性能を安定して得ることができる。
【００１８】
第７の発明は、第１〜第６の発明において、第１の傾斜部には第１のリブを、前記第２の傾斜部には第２のリブをそれぞれ有し、前記第１のリブで整流した洗浄水の水流方向は、前記第２のリブで整流した洗浄水の水流と略反対方向となるように構成とした。
【００１９】
この構成により、少ない洗浄水でも第１の水流と第２の水流とがより衝突しやすくなり、貯水部に素早く水を戻すと共に、貯水部における渦の発生を抑制することができ、洗浄水量を削減しても所定の洗浄性能を得ることができる。
【００２０】
第８の発明は、第１〜第７の発明において、第２の傾斜部は、貯水部方向に５度以上８度以下の傾斜をもつ構成にしたことにより、洗浄手段が前記洗浄槽底面に衝突せずに、最大の傾斜角度を持つことができるため、洗浄水の回収速度が早くなり、より少ない洗浄水量で所定の洗浄性能を得ることができる。
【００２１】
第９の発明は、第１〜第８の発明において、下方に傾斜する第５の傾斜部を貯水部内底部に形成する構成としたことにより、貯水部内に流れ込んだ洗浄水がより素早く循環経路に流れるため、洗浄水の戻しがさらに早くなり、より少ない洗浄水量で所定の洗浄性能を得ることができる。
【００２２】
以下、本発明の実施の形態について、図面を参照しながら説明する。なお、本実施の形態によって本発明が限定されるものではない。
【００２３】
（実施の形態１）
図１および図２に示すように、前方に開口部を有する本体１（固定側箱状体）において、その内側に上方に開口する洗浄槽２（可動側箱状体）が収納されている。また、洗浄槽２は、本体１の両内側面に取り付けられた両固定レール３と、両固定レール３にそれぞれ滑動自在に装着された両可動レール４とから構成されるスライドレール５により前後方向
に摺動可能に構成されており、本体１の前方開口部から引き出すことができる。
【００２４】
スライドレール５は、図１に示すように、洗浄槽２の外壁の略下部に配置されるものである。
【００２５】
また、スライドレール５には、洗浄槽２や洗浄槽２内に配置される食器６などや、洗浄行程で供給される洗浄水等の荷重が加わるので、鉄やＳＵＳ等の金属部品で形成されるものである。ここで、洗浄水とは、食器６の洗浄やすすぎに用いられる液体を総称して言う。
【００２６】
本体１は、キッチンキャビネットＡ内にビルトインするのが基本的な設置形態であるが、本体１を設置場所の台上に固定して使用することも可能である。
洗浄槽２は、内部に食器６を配置する食器カゴ７が収納される。また、洗浄槽２の内底面には、給水された洗浄水を洗浄ポンプに導く貯水部９と、洗浄水を加熱するヒータ８（加熱手段）を有する加熱部を設けている。
【００２７】
貯水部９の上部には、多数の開口部を設けられた金属製の残さいフィルタ１０を設置しており、洗浄水中に含まれる食材等の残さいを捕集する。
【００２８】
食器カゴ７の一部は回動式になっており、残菜フィルタ１０は食器カゴ７全体を取り出すことなく取り出すことができる。排水フィルタ１１は、残さいフィルタ１０の下方に設けた樹脂製のもので、使用者が残さいフィルタ１０をセットし忘れた際でも洗浄ポンプ１２などに大きい残さいが進入しないように設けている。
【００２９】
複数の噴射孔１９を有する洗浄ノズル１３は、洗浄槽内底面１４の略中央部に回転自在に設けられ、洗浄ポンプ１２により加圧された洗浄水を食器に向けて噴出するものである。
【００３０】
給水弁２０は、洗浄槽２内に洗浄水を供給する。洗浄槽２に給水された洗浄水は、排水手段２１により機外に排水されるものである。
【００３１】
送風手段２２は、洗浄槽２の外壁に設けられている。乾燥行程では、送風手段２２の動作によって外気が洗浄槽２内に入り、加熱手段で加熱しながら食器６を乾燥させたのちに排気口２３より排気される。
【００３２】
温度検知手段２４は、洗浄槽２の下面外壁に配置され、洗浄槽２内の洗浄水、空気および加熱手段８の温度を、洗浄槽２の下面を介して間接的に検知するものである。
【００３３】
制御装置２６は、洗浄槽２内に洗浄水を供給する給水弁２０や、温度検知手段２４の出力に基づいて加熱手段８を制御する。また、洗浄手段１３、給水弁２０、排水手段１３、送風手段２２等を制御して、洗浄、すすぎ、乾燥の一連の行程を逐次制御するよう構成している。
【００３４】
図１および図２に示すように、中フタ２７は、周囲にパッキン２８が設けられていて、リンク機構（図示せず）を介し食器洗浄機本体１の上部に配置されている。中フタ２７は、洗浄槽２が食器洗浄機本体１の所定の位置に収納される動きと連動して下方に移動し、洗浄槽２の上方の開口部を水密に塞ぐものである。
【００３５】
上記構成において動作を説明すると、使用者が食器洗浄機本体１から洗浄槽２を引き出し、食器カゴ７に食器６などの被洗浄物を配置し、洗浄槽２に収納する。そして、洗剤を
入れた後、洗浄槽２を食器洗浄機本体１内に収納する。そして、運転を開始すると排水手段２１が動作して、前回の運転等で洗浄槽２内に残っている洗浄水（「残水」という）を食器洗浄機本体１外へ排出する。
【００３６】
次に、給水弁２０が開放して、水位検知手段（図示せず）が水位を検知するまで、所定量の洗浄水を洗浄槽２に供給する。
【００３７】
所定量の洗浄水が供給されると、制御装置２６が洗浄ポンプ１２を駆動させて洗浄水を加圧し、洗剤を溶解させた洗浄水を洗浄ノズル１３に設けた噴射孔１９から噴射させる。こうして、食器６などを洗浄する洗浄行程が行われる。この洗浄行程では洗浄槽２内に設けた加熱手段８に通電して、洗浄水を洗浄所定温度（例えば６０℃）まで加熱し、油汚れなどの落ち難い汚れも洗浄しやすくする。
【００３８】
洗浄行程が所定時間行われると、排水手段２１が食器６から洗い落とされた汚れを含む洗浄水を食器洗浄機本体１外へ排出する。そして、給水弁２０の駆動により水道管から洗浄槽２内に新たに給水が行われ、洗浄ポンプ１２を駆動させて、洗浄ノズル１３に設けた噴射孔１９から再び洗浄水を噴射し、洗剤や残さい等で汚れた食器６をすすぐ行程を実行する。
【００３９】
このすすぎ行程が終わると、洗浄水を再び食器洗浄機本体１外へ排出する。このすすぎ行程は連続して数回繰り返される。洗浄およびすすぎ行程では、残さいは洗浄槽２に設けた残さいフィルタ１０内に捕集される。
【００４０】
所定回数のすすぎ行程が終了すると乾燥行程が開始する。この行程では、送風手段２２が動作して食器洗浄機本体１外の空気が洗浄槽２内へ送り込まれる。送り込まれた空気は加熱手段８により加熱された後、食器６を乾燥させて、洗浄槽２の前面に形成される排気口２３より食器洗浄機本体１外へ排出される。乾燥行程終了後、運転を終了する。
【００４１】
なお、複数回行われるすすぎ行程のうち、少なくとも１回は洗浄水を加熱手段８により加熱しながら食器３をすすぐ加熱すすぎ行程であってもよい（このとき洗浄水は例えば約７０℃まで加熱されるものであってもよい）。
【００４２】
このように構成された本実施の形態において、洗浄槽２の内底部について詳述する。
【００４３】
図３の洗浄槽内底面１４の平面図、図４および図５の洗浄槽内底面１４の断面図に示すように、洗浄槽内底面１４のコーナー最下部に貯水部９が設けられている。
【００４４】
また、洗浄槽内底面１４には、第１、第２および第３の傾斜部２９、３０、３１が形成されている。
【００４５】
図３および図４に示すように第１の傾斜部２９は、ヒータ８（加熱部）を上面に備え、洗浄槽内底面１４の手前右側に、洗浄槽２の奥行き方向を長手方向とする略矩形に形成されている。また、第１の傾斜部２９は貯水部９に向かって１度から２度の角度で下方に傾斜している。
【００４６】
また、図３および図５に示すように第２の傾斜部３０は、洗浄槽内底面１４の左側に形成されるとともに、第１の傾斜部２９より高い位置に形成され、第１の傾斜部２９および貯水部９に隣接している。第２の傾斜部３０は、平面視して、洗浄ノズル１３が回転した場合の略回転軌跡Ｂに沿って略半円状に形成されている。（この時、ノズルの軌跡外に例えば５ｍｍほど離れた軌跡に沿った略半円状でもよい）。第２の傾斜部３０の傾斜方向は
、貯水部９との接点Ｊ１を最下点とし、洗浄槽２の左手前方向コーナー部Ｊ２に向かって上昇する略平面で構成されてある。
【００４７】
また、図３に示すように第３の傾斜部３１は、洗浄槽内底面１４の奥左側および前左側のコーナー部に形成している。
【００４８】
また、洗浄槽内底面１４には、食器カゴ７を設置する複数のカゴ設置部３２とから構成されてある。
【００４９】
また、第１の傾斜部２９の幅Ｅ１よりも貯水部９の幅Ｅ２の方が大きく、貯水部９の背面側に設けられた吸込み口１８は第１の傾斜部２９の中央より図面上で左側（洗浄槽中央側）にある。また、吸込み口１８は洗浄槽２の側面の底部近傍に設けられている。
【００５０】
また、図６に示すように、第２の傾斜部３０は、貯水部９方向に第１の傾斜部２９の傾斜角度より大きい角度Ｃで下方に傾斜している。第３の傾斜部３１は、第２の傾斜部３０の傾斜角度Ｃより大きな角度Ｄで第２の傾斜部３０に向かって下方に傾斜している。
【００５１】
また、図７に示すように、第１の傾斜部２９と第２の傾斜部３０と貯水部９との接点Ｋを基点とし、第２の傾斜部３０の傾斜方向と平行な直線Ｌ１によって第２および第３の傾斜部は分割される。この内、第１の傾斜部２９と隣接する側の傾斜部を加熱部側第２の傾斜部３０１、貯水部９と隣接する側の傾斜部を貯水部側第２の傾斜部３０２とする。
【００５２】
平面視で第１の傾斜部２９の面積２９Ａと加熱部側第２の傾斜部３０１の面積３０１Ａとの合計が、貯水部側第２の傾斜部３０２の面積３０２Ａとほぼ同等になるように各傾斜部は構成される。
【００５３】
以下に洗浄中の洗浄水の流れを説明する。洗浄ポンプ１２から圧送された洗浄水は、吐出経路１７を通り洗浄ノズル１３の複数の噴射孔１９から噴射される。洗浄ノズル１３は噴射応力によって回転しながら洗浄水を噴射する。複数の噴射孔１９から噴射された洗浄水は、食器６や食器カゴ７、洗浄槽２の内壁、中フタ２７に衝突し洗浄槽内底面１４にほぼ一様に落下する。落下した洗浄水は洗浄槽内底面１４の傾斜に沿って貯水部９方向に流れこみ、残さいフィルタ１０、排水フィルタ１１を通り、貯水部９内の吸込み口１８から吸込まれ、吸込み経路１６を通り、洗浄ポンプ１２で再び圧送される。
【００５４】
洗浄槽内底面１４に落下し洗浄ポンプ１２へ送られる洗浄水の流れを詳細に説明する。
【００５５】
図７に示すように、第２の傾斜部３０のうち加熱部側第２の傾斜部３０１に流れ込んだ洗浄水は、第２の傾斜部３０の傾斜方向に従って貯水部９方向に流れるが、直接貯水部９に流れ込むのではなく、一旦第１の傾斜部２９に落下し加熱部８に一旦貯水される。そして、加熱部８に貯水されている洗浄水と合流し、加熱部８と熱交換を行い、第１の水流２９ｂを形成し、貯水部９に流れ込む。また、第２の傾斜部３０のうち貯水部側第２の傾斜部３０２に流れ込んだ洗浄水は、第２の傾斜部３０の傾斜方向に従って貯水部９方向に流れる。そして、第２の水流３０ｂを形成し、直接貯水部９に流れ込む。第３の傾斜部３１に流れ込んだ洗浄水は第３の流れ３１ｂを形成する。
【００５６】
ここで第１の水流２９ｂとは、第１の傾斜部２９から貯水部９に流れ込む水流を、第２の水流３０ｂとは、第２の傾斜部３０のうち貯水部側第２の傾斜部３０２上に流れ込んだ洗浄水が第２の傾斜部３０の最下点近傍から貯水部９に流れこむ水流のことをいう。
【００５７】
図７に示すように、第１の傾斜部２９の面積２９Ａと加熱部側第２の傾斜部３０１の面
積３０１Ａとの合計が、貯水部側第２の傾斜部３０２の面積３０２Ａとほぼ同程度になるよう洗浄槽内底面１４を構成するため、第１の水流２９ｂと第２の水流３０ｂとの流量はほぼ同程度になる。貯水部９内で略反対の回転方向に流れるほぼ同流量の水流２９ｂと３０ｂとが貯水部９内で衝突するため、貯水部９内で渦が発生せず、洗浄水は吸込み口１８から洗浄ポンプ１２へ流入する。
【００５８】
また、図８の貯水部９近傍の拡大図に示すように、第１の水流２９ｂは、貯水部側第２の傾斜部３０２から流れ込んだ水流によって、第１の傾斜部２９の洗浄槽２壁面側から吸込み口１８方向に流れ込む。このため、貯水部９に平面視で貯水部９中央部Ｍから見て反時計回りに流れ込む。第２の水流３０ｂは、第２の傾斜部３０の傾斜により洗浄槽２奥壁面側から貯水部９内に流れ込む。このため、平面視で貯水部９に貯水部９中央部Ｍから見て時計回りに流れ込む。この場合、第１及び第２の水流２９ｂ、３０ｂは、お互いが衝突して貯水部９内で渦の発生を抑制し、吸込み口１８から洗浄ポンプ１２へ流入するため、安定して所定の洗浄性能を得ることができる。
【００５９】
なお、第２の傾斜部３０と第３の傾斜部３１との境界は滑らかな面で繋がっていることが望ましい。この場合、第３の水流３１ｂが滑らかに第２の傾斜部３０に流れこむことができるため、より貯水部９への洗浄水の戻りを早くすることができる。
【００６０】
なお、カゴ設置部３２は貯水部９に向かって傾斜していることが望ましい。この場合は、カゴ設置部３２上に流れ込んだ洗浄水が素早く貯水部９方向に流れるため、より貯水部９への洗浄水の戻りを早くすることができる。
【００６１】
なお、本実施の形態では吸込み口１８は貯水部９の奥側側面の左側（洗浄槽中央側）に設けられてあるが、第１の傾斜部の中央より図３上で左側（洗浄漕中央側）にあれば、第１の水流２９ｂと第２の水流３０ｂが衝突し、渦が発生せず、より少ない洗浄水量で所定の洗浄性能を得るという効果を実現することができる。
【００６２】
なお、本実施の形態では、第２の傾斜部３０に落下する洗浄水の大半を直接貯水部９に流し込むため、従来のものより、加熱部８に流れ込む洗浄水量は減少するが、洗浄ノズル１３から噴射され食器６などに衝突し落下した洗浄水の一部が加熱部８と接触し、熱交換が行われるため、洗浄水の加熱は維持される。
【００６３】
なお、本実施の形態では第１の傾斜部２９を第２の傾斜部３０以下の高さに設けてあるが、これにより、第１の傾斜部２９が第２の傾斜部３０以上の高さに設けられている場合より加熱手段８以下の洗浄槽２の内容積が削減される。これにより第１の傾斜部２９が第２の傾斜部３０以上の高さに設けられている場合には洗浄中に水没しない加熱手段８が、同じ水量でも確実に水没することになり、洗浄水の加熱効率を上昇させることができ、なお良い。
【００６４】
また、図９に示すように、第１の傾斜部２９上には、略三角柱形状の第１のリブ４１が、第２の傾斜部３０上には、直方体形状の第２のリブ４２が配設している。第１のリブ４１は、第１の傾斜部２９と貯水部９と洗浄槽２壁面との接点近傍に洗浄槽２と一体で成型してある。また、第２のリブ４２は第２の傾斜部３０と貯水部９との隣接部の洗浄槽２中央側に洗浄槽２と一体で成型されている。第１のリブ４１および第２のリブ４２は、それぞれ洗浄水位より上端が高くなるよう構成されている。
【００６５】
以下にこの場合の洗浄中の洗浄水の流れを示す。
【００６６】
図１０の貯水部９近傍の拡大図に示すように、第１の水流２９ｂは第１の傾斜部２９か
ら貯水部９方向に流れるが、第１のリブ４１によって整流され、平面視で貯水部９に右側から左側に流れ込む。第２の水流３０ｂは第２のリブ４２によって、洗浄槽２の背面側から貯水部９に流れ込むため、左側から右側に流れ込む。ほぼ同流量の第１の水流２９ｂと第２の水流３０ｂが貯水部９内で衝突するため、貯水部９内で渦が発生せず、洗浄水は吸込み口１８から洗浄ポンプ１２へ流入する。
【００６７】
なお、第１のリブ４１および第２のリブ４２の高さは上端が洗浄水位以下でも、第１および第２の水流の方向を整流することができるものであればよい。
【００６８】
なお、図１１に示すように、本実施の形態では、第１のリブ４１が第１の水流２９ｂを整流してあるが、第１の傾斜部２９と貯水部９とに隣接し、吸込み口１８方向に下方に傾斜する第４の傾斜部４１ａで整流してもよい。この場合、洗浄槽２の凹凸部が削減され、使用者が洗浄槽内底面１４のお手入れ（拭き掃除など）をしやすくなる。
【００６９】
また、図１２に示すように、本実施の形態では第１のリブ４１を第１の傾斜部２９の洗浄槽２壁面側に設けてあるが、洗浄槽２の中央側に設けてもよい。この場合は、第１の水流２９ｂは貯水部９に隣接する洗浄槽２壁面近傍を通り、吸込み口１８方向に流れ込み、第２の水流３０ｂと衝突する。
【００７０】
また、第１のリブ４１を第１の傾斜部２９と第２の傾斜部３０との間に設けても良い。この場合にも第１の水流２９ｂと第２の水流３０ｂとを同様に衝突させることができる。
【００７１】
また、本実施の形態では第１のリブ４１を略三角柱状、第２のリブ４２を直方体としてあるが、この限りではなく、Ｌ字型や立法体状等でも同様の効果を奏する。
【００７２】
また、図１３および図１４に示すように貯水部内底面４３は平面視で洗浄槽２の幅方向を長手方向とする略矩形に形成されている。貯水部内底面４３には排水フィルタ１１より下方かつ吸込み口１８の下端より高い位置に第５の傾斜部４４が設けている。吸込み口１８は貯水部９の左側面の前面側下端に設けられ、第５の傾斜部４４は吸込み口１８方向に下方に傾斜している。
【００７３】
以下にこの場合の洗浄中の洗浄水の流れを示す。
【００７４】
図１４および図１５に示すように、洗浄ノズル１３から噴射され貯水部９の右奥部や洗浄槽２の右奥側面４５に衝突した洗浄水は直接貯水部９に流れ込み、第５の傾斜部に沿って第５の水流４４ａを形成し吸込み口１８へと流入する。
【００７５】
この際、第１の水流２９ｂと第２の水流３０ｂに加え第１の水流２９ｂおよび第２の水流３０ｂと水流の方向が平面視で９０度以上異なる第５の水流４４ａとが衝突することで、貯水部内での渦の発生がより抑制され、吸込み口１８から洗浄ポンプ１２へ流入する。
【００７６】
また、図１６、図１７および図１８に示すように、第５の傾斜部４４は第１の傾斜部２９および第２の傾斜部３０の傾斜角度より大きい傾斜角Ｇで構成されることが望ましい。
【００７７】
この場合、貯水部９に流れ込んだ水流は、第５の傾斜部４４に沿って第５の水流４４ａを形成し吸込み口１８へと流入する。この際、洗浄水は第１の水流２９ｂと第２の水流３０ｂとが衝突する場所の近傍から下方に吸込まれることで吸込み口１８に空気が混入しにくくなるとともに、第５の傾斜部４４で水流が加速されることでより素早く吸込み口１８に洗浄水が回収される。このため、より少ない洗浄水量で所定の洗浄性能を得ることができる。
【００７８】
（実施の形態２）
図１９は本発明の実施の形態２の食器洗い機の平面図である。本実施の形態において、実施の形態１と同様の部分については同一符号を附し、その詳細な説明は省略する。
【００７９】
図１９に示すように洗浄槽内底面１４には、第１、第２及び第３の傾斜部２９、３０、３１が形成されている。第２の傾斜部３０は、第１の傾斜部２９と隣接するとともに、貯水部９との接点Ｎ１を最下点とし、洗浄槽２の手前壁面Ｎ２に向かって上昇する直線Ｌ２によって形成される略円錐面状の傾斜面から構成されてある。この際、平面視で第１の傾斜部２９の面積２９Ａと、第２の傾斜部３０および第３の傾斜部３１の合計の面積３０Ａがほぼ等しくなるようにそれぞれは構成されてある。
【００８０】
洗浄槽の内底面１４に落下し洗浄ポンプへ送られる洗浄水の流れを詳細に説明する。
【００８１】
図１９で示すように、洗浄ポンプ１２から圧送され、吐出経路１７を通り洗浄ノズル１３の複数の噴射孔１９から噴射された洗浄水は、食器などの被洗浄物６などに衝突し洗浄槽内底面１４にほぼ一様に落下する。洗浄槽内底面１４に落下し、第１の傾斜部２９、第２の傾斜部３０に流れ込んだ洗浄水はそれぞれ傾斜方向に沿って貯水部９方向に流れ、第１に水流２９ｂ、第２水流３０ｂを形成する。
【００８２】
ここで第１の水流２９ｂとは、第１の傾斜部２９から貯水部に流れ込む水流を、第２の水流３０ｂとは、第２の傾斜部３０上に流れ込んだ後に第２の傾斜部３０の最下点近傍から貯水部９に流れこむ水流を指す。
【００８３】
この際、第２の傾斜部３０に落下した洗浄水は、第１の傾斜部２９に流れ込まずに、円錐面の傾斜面に沿って接点Ｎ１方向に流れ、貯水部９に流れ込む。第２の傾斜部３０に落下した洗浄水は最短距離を通り貯水部９に流れ込むことができるため、洗浄水が洗浄ポンプへ素早く回収され、より少ない洗浄水量で所定の洗浄性能を得ることが出来る。
【００８４】
なお、平面視で第１の傾斜部２９の面積２９Ａと、第２の傾斜部３０および第３の傾斜部３１の合計の面積がほぼ同等になるように洗浄槽内底面１４を構成してあるため、水量がほぼ同量の第１の水流２９ｂと第２の水流３０ｂとが貯水部９内で衝突する。このため貯水部９内での渦の発生が抑制され、従来必要であった渦防止用の洗浄水量を削減できる食器洗い機を提供できる。
【産業上の利用可能性】
【００８５】
本発明の食器設置具は、少ない水量で所定の洗浄性能を得ることができるので、食器洗い機として有用である。
【符号の説明】
【００８６】
１  食器洗浄機本体
２  洗浄槽
６  被洗浄物（食器）
８  加熱部（加熱手段）
９  貯水部
１２  洗浄ポンプ
１３  洗浄手段（洗浄ノズル）
１４  洗浄槽の内底面
２９  第１の傾斜部
３０  第２の傾斜部
３１  第３の傾斜部
４１  第１のリブ
４２  第２のリブ
４４  第５の傾斜部
【図１】
2011143086.tif 000003
【図２】
2011143086.tif 000004
【図３】
2011143086.tif 000005
【図４】
2011143086.tif 000006
【図５】
2011143086.tif 000007
【図６】
2011143086.tif 000008
【図７】
2011143086.tif 000009
【図８】
2011143086.tif 000010
【図９】
2011143086.tif 000011
【図１０】
2011143086.tif 000012
【図１１】
2011143086.tif 000013
【図１２】
2011143086.tif 000014
【図１３】
2011143086.tif 000015
【図１４】
2011143086.tif 000016
【図１５】
2011143086.tif 000017
【図１６】
2011143086.tif 000018
【図１７】
2011143086.tif 000019
【図１８】
2011143086.tif 000020
【図１９】
2011143086.tif 000021
【図２０】
2011143086.tif 000022
【図２１】
2011143086.tif 000023
【図２２】
2011143086.tif 000024